(57)【要約】【課題】少なくとも１つの検波装置（２０）を有する少なくとも１つの基体（１４）より成る手持ち式の検波器（１０）、特に検査しようとする物体（１８）内の対象物を位置測定するための位置測定器、または検査しようとする物体（１８）内の湿気を決定するための湿気測定器が提案される。【解決手段】本発明によれば、前記物体（１８）の検査表面（１６）に対して相対的に前記基体（１４）を可動に支持するための少なくとも１つの第１の支持装置（２８）と、前記物体（１８）の前記検査表面（１６）に対して相対的に前記基体（１４）を可動に支持するための第２の支持装置（３０，３２，３４）とが設けられており、この場合、前記第１の支持装置（２８）と前記第２の支持装置（３０，３２，３４）とが互いに異なっていることを特徴としている。【選択図】図１ｅ
2018100956.tif 000002
【特許請求の範囲】
【請求項１】
手持ち式の検波器（１０）、特に検査しようとする物体（１８）内の対象物を位置測定するための位置測定器、または検査しようとする物体（１８）の内側／外側の湿気を決定するための湿気測定器であって、少なくとも１つの検波装置（２０）を有する少なくとも１つの基体（１４）より成っている形式のものにおいて、
前記物体（１８）の検査表面（１６）に対して相対的に前記基体（１４）を可動に支持するための少なくとも１つの第１の支持装置（２８）と、前記物体（１８）の前記検査表面（１６）に対して相対的に前記基体（１４）を可動に支持するための第２の支持装置（３０，３２，３４）とが設けられており、前記第１の支持装置（２８）と前記第２の支持装置（３０，３２，３４）とが互いに異なっていることを特徴とする、手持ち式の検波器（１０）。
【請求項２】
前記第１の支持装置（２８）および前記第２の支持装置（３０，３２，３４）が、前記基体（１４）に可逆的に取り外し可能に配置可能であることを特徴とする、請求項１記載の手持ち式の検波器（１０）。
【請求項３】
前記第１の支持装置（２８）が前記基体（１４）の構成部分として組み込まれており、前記第２の支持装置（３０，３２，３４）が前記基体（１４）に可逆的に取り外し可能に配置可能であることを特徴とする、請求項１記載の手持ち式の検波器（１０）。
【請求項４】
前記第１の支持装置（２８）と前記第２の支持装置（３０，３２，３４）とが、前記基体（１４）の構成部分として組み込まれていることを特徴とする、請求項１記載の手持ち式の検波器（１０）。
【請求項５】
前記第２の支持装置（３０，３２，３４）が、少なくとも１つの運転モード（２００）で、前記基体（１４）を前記物体（１８）の前記検査表面（１６）に対して相対的に可動に支持することを可能にし、前記第１の支持装置（２８）によって、前記物体（１８）の前記検査表面（１６）に対して相対的な、前記基体（１４）の可動な支持が妨げられていることを特徴とする、請求項１から４までのいずれか１項記載の手持ち式の検波器（１０）。
【請求項６】
前記第１の支持装置（２８）または前記第２の支持装置（３０，３２，３４）が、前記検査表面（１６）に対して相対的な前記検波器（１０）の二次元的な運動を実現するために、ブラシ縁（３０）を有していることを特徴とする、請求項１から５までのいずれか１項記載の手持ち式の検波器（１０）。
【請求項７】
前記第１の支持装置（２８）または前記第２の支持装置（３０，３２，３４）が、前記検査表面（１６）に対して相対的な前記検波器（１０）の二次元的な運動を実現するために、滑走部（３２ａ）を有していることを特徴とする、請求項１から６までのいずれか１項記載の手持ち式の検波器（１０）。
【請求項８】
前記第１の支持装置（２８）または前記第２の支持装置（３０，３２，３４）が、前記検査表面（１６）に対して相対的な前記検波器（１０）の二次元的な運動を実現するために、少なくとも１つの全方向車輪（３４ａ）、特にメカナムホイールまたはボールベアリングを有していることを特徴とする、請求項１から７までのいずれか１項記載の手持ち式の検波器（１０）。
【請求項９】
前記第１の支持装置（２８）または前記第２の支持装置（３０，３２，３４）が、前記検査表面（１６）に対して相対的な前記検波器（１０）の一次元的な運動を実現するために、複数の車輪（３０ａ）、特に４つの車輪（３０ａ）を有していることを特徴とする、請求項１から８までのいずれか１項記載の手持ち式の検波器（１０）。
【請求項１０】
前記検波器（１０）が、少なくとも１つの車輪（３０ａ）の回転を、信号技術的に特に磁気カップリングおよび／または誘導カップリングによって検出する手段（４２）を有していることを特徴とする、請求項９記載の手持ち式の検波器（１０）。
【請求項１１】
検査表面（１６）に対して相対的に検波器（１０）の基体（１４）を可動に支持するための、請求項１から１０までのいずれか１項記載の手持ち式の検波器（１０）のための支持装置（２８，３０，３２，３４）において、前記支持装置（２８，３０，３２，３４）が前記基体（１４）に可逆的に取り外し可能に配置可能である、手持ち式の検波器（１０）のための支持装置（２８，３０，３２，３４）。
【請求項１２】
請求項１から１０までのいずれか１項記載の、基体（１４）を備えた手持ち式の検波器（１０）を運転するための方法において、
第１の運転モード（１００）で、物体（１８）の検査表面（１６）に対して相対的に前記基体（１４）を可動に支持するために、第１の支持装置（２８）によって前記基体（１４）を支持し、
第２の運転モード（２００）で、前記物体（１８）の前記検査表面（１６）に対して相対的に前記基体（１４）を可動に支持するために、第２の支持装置（３０，３２，３４）によって前記基体（１４）を支持し、
この場合、前記第１の支持装置（２８）と前記第２の支持装置（３０，３２，３４）とが互いに異なっていることを特徴とする、手持ち式の検波器（１０）を運転するための方法。
【発明の詳細な説明】
【背景技術】
【０００１】
本発明は、手持ち式の検波器、特に検査しようとする物体内の対象物を位置測定するための位置測定器、または検査しようとする物体の内側または外側の湿気を決定するための湿気測定器であって、少なくとも１つの検波装置を有する少なくとも１つの基体より成っている形式のものに関する。このような形式の検波器は従来技術、例えば特許文献１より公知である。
【先行技術文献】
【特許文献】
【０００２】
【特許文献１】ドイツ連邦共和国特許第１０２００６０２５８６１号明細書
【発明の概要】
【０００３】
物体を検査するための、提案された手持ち式の検波器は、少なくとも１つの検波装置を有する少なくとも１つの基体より成る検波器を前提とする。本発明によれば、検波器は、物体の検査表面に対して相対的に基体を可動に支持するための少なくとも１つの第１の支持装置と、物体の検査表面に対して相対的に基体を可動に支持するための第２の支持装置とが設けられており、第１の支持装置と第２の支持装置とが互いに異なっていることを特徴としている。
【０００４】
１実施例では、検波器は、検査しようとする物体内の対象物を位置測定するための位置測定器として実現されている。選択的なまたは追加的な実施例では、検波器は、検査しようとする物体の内側または外側の湿気を決定するための湿気測定器として実現されている。このような形式で、手持ち式の検波器は、検査表面の下に隠された位置測定対象物を位置測定するために、および／または検査表面の下に隠されたまたは検査表面上に存在する湿気、特に検査表面の下に隠された湿気の湿度を検波するために用いられる。手持ち式の検波器は、少なくとも１つの手持ち式の基体を有しており、この基体は、少なくとも１つの検波装置、特に位置測定装置を有している。
【０００５】
「検波装置」、特に位置測定装置は、検波データ、つまり特に、検査しようとする物体の検査表面の下に隠れた位置測定対象物、および／または検査しようとする物体の検査表面の下に隠れた若しくは検査表面上に存在する湿気等の、位置測定に関するデータ（以下では位置測定データ）および／または湿気に関するデータ（以下では湿気測定値または湿度測定値）を検出するために設けられている。この場合、「検波装置」とは、特に、位置測定対象物および／または湿気および／または湿度等の存在を含む物理的および／または化学的な値を検出して、電気的に評価可能な信号に変換するために設けられた手段を有する装置と解釈されるべきである。特に、検波装置はこれらの手段を運転するために、必要な構成素子、電気回路等を含む。
【０００６】
１実施例では、検波装置は、検波を実施するために少なくとも１つの検波センサを有している。検波センサは原理的に、例えば電気的および／若しくは磁気的な場の変化または検査しようとする材料内に放射された光線の到達時間の変化を評価することによって、検査物体内に隠された位置測定対象物および／または湿気を検波するために適している。例えば、検波装置は、誘導式センサ、ＡＣセンサ、容量性センサ等を有していてよい。同様に、電磁放射線によって検出するために設けられたセンサ、特に５０ヘルツセンサ、マイクロ波センサ、レーダセンサ、テラヘルツセンサ、極超短波センサ、レントゲンセンサ、赤外線センサまたはＮＭＲセンサも適している。さらに、温度センサ、湿度センサまたは音響センサ、例えば超音波センサまたはインパクトエコーセンサまたは中性子センサが、検波装置として考えられ得る。好適には、検波を実施するための、特に様々な形式の複数の検波センサの組み合わせも考えられる。
【０００７】
「設けられた」とは、特に専用に「プログラミングされた」、「設計された」および／または「装備された」と解釈されるべきである。対象物に所定の機能が「設けられている」とは、特に、対象物がこの所定の機能を少なくとも１つの使用状態および／または運転状態で満たし、かつ／または実行するか若しくはこれらの機能を満たすために設計されている、と解釈されるべきである。
【０００８】
「手持ち式の」検波器とは、特に検波器が運搬機械を利用することなしに手だけによって、特に片手だけで運搬できるものであると解釈されるべきである。特に、検波器は、測定操作中でも、検波器の使用者によって自由に行われる運動で、特に一次元的なまたは二次元的な自由な運動で、手に持って検査表面上をガイドすることができる。手持ち式の検波器の質量は、特に５ｋｇよりも小さく、好適には３ｋｇより小さく、特に好適には１ｋｇより小さい。１実施例では、手持ち式の検波器は、検査しようとする物体の検査表面上で検波器をガイドすることができるハンドルまたはハンドル領域を備えたハウジングを有している。
【０００９】
手持ち式の検波器は、１実施例ではハウジングを有しており、このハウジングは、検波器の少なくとも主要な機能上の構成要素を受ける。ハウジングは、検波器の少なくとも１つの基体を有している。１実施例では、検波器は、検波器の基体を形成するハウジングより成っている。
【００１０】
特に、ハウジングは、少なくとも１つの制御装置と、検波センサを含む検波装置と、入力装置および／または出力装置と、特に表示装置と、エネルギ供給装置とを受けている。特に構成要素は、その全体積の５０％より多くが、好適には７５％より多くが、特に好適には１００％が、検波器のハウジング内に収容されている。このような形式で、特にコンパクトで軽量な、使用者によって片手でガイド可能な検波器が実現され得る。さらにこのような形式で、検波器の構成要素は、好適には検波器のハウジングによって、損傷および環境の影響に対して、特に湿気および埃の侵入に対して保護され得る。
【００１１】
「検査表面」とは、特に隠れた位置測定対象物に関して、および／または湿気および／または湿度に関して検査しようとする物体または工作物の表面のことである。この意味で、概念「物体」は、検波器によって検査可能なすべての材料を意味する。例えば、物体において、建築材料または工作物、壁、床、屋根、たたき、有機物（特に身体の一部も）および／または敷地の一部も除外されない。物体は、例えば特に木材、ガラス、プラスチック、コンクリート、石、レンガ、石膏、金属、有機材料等から成っていてよい。さらに、原理的に、液体またはガスも検査することができる。検査しようとする物体の材料とは異なっているか、またはその物理的特性が検査しようとする物体の材料とは異なっている材料を含めて、位置測定対象物の一例である。このような位置測定対象物の典型的な例は、建築物壁部内に隠れている電線、管、ガス管、空洞、補強材等、また建築物壁部内に隠れている湿気でもある。
【００１２】
検波器はさらに、検波器の機能的な構成要素を制御するための、特に少なくとも検波装置、入力装置および／または出力装置、データ通信インターフェース、メモリー装置並びにその他の、当業者にとって有利であるとみなされる構成要素を制御するための制御装置を有している。制御装置は、検波器の運転を制御するために、並びに検波装置によって提供された検波データを評価するために設けられている。
【００１３】
検波装置のエネルギ供給装置は、検波器を運転するために、および運転中に電気エネルギを供給するために設けられている。１実施例では、エネルギ供給装置は、電力網とは無関係なエネルギアキュムレータ、特に蓄電池、バッテリ等である。
【００１４】
入力装置は、作業パラメータ、つまり検波器のすべての必要なおよび／または有意義な運転パラメータ、特に検波器を制御するための運転パラメータ、並びに測定結果の評価に関するパラメータをインプットするために用いられる。出力装置は、作業パラメータおよび／または検波情報、つまり特に位置測定された対象物および／または位置測定若しくは検波された湿気に関する情報をアウトプットするために用いられる。検波器の実施例では、入力装置および／または出力装置は、検波器の使用時に使用者側に面した、ハウジングの側に配置されている。
【００１５】
さらに、測定結果および／または検波情報および／または作業パラメータを記憶するための、例えば電子データメモリーの形の記憶装置が設けられていてよい。
【００１６】
「支持装置」は、本テキストの枠内で、検波器の基体およびひいては検波装置を、好適な形式で検査表面上に一定の間隔を保ってガイドできるようにするために用いられる装置を意味する。手持ち式の検波器の１実施例では、支持装置は検波器の基体に関連して、支持装置の少なくとも一部（例えば車輪、滑走部、ブラシ等）が検波測定を実施する際に物体の検査表面と検波器の基体との間に配置されるように、配置されている。
【００１７】
この場合、機械的な接触は、例えばプラスチックより製作された基体の突起としての硬い滑走部によって、または例えば基体上に接着された、テフロンまたはナイロン等のポリマーまたはフェルトより成る、滑りおよび摩耗が最適化された滑走部によって実現されてよい。このような形式の支持装置は、特に構造的に簡単な形式で、使用者が検波器を検査表面上に関連して二次元の方向で位置変化させることを可能にする。特に、検波器を二次元で可動に支持することによって、使用者は検波器を自由な運動で、例えば自由なワイパ運動で検査表面上をガイドさせることができる。検波器の自由なワイパ運動により、所定の走行経路（位置変化の経路）とは無関係な、特に任意に形作られた自由な経路が得られる。
【００１８】
さらに、従来技術により公知の複数の車輪によっても機械的な接触は実現できる。これらの車輪によって検波器の基体は変向不能な軸線を有する一次元の方向で、検査表面上を走行させることができる。このような形式の支持装置を使用することによって、この場合、検波器の使用者は、検波測定を精確に一方向、例えば優先的な方向で実施するように支援され得る。
【００１９】
互いに異なる支持装置とは、例えば車輪、滑走部、ブラシ縁等の使用のような、様々な機能機構に基づく、または例えばテフロン滑走部、ナイロン滑走部、その他のプラスチック滑走部、フェルト滑走部等の使用のような、様々な材料に基づく、それぞれの支持装置のことである。
【００２０】
検査しようとする物体は、しばしば、ただしそれのみではないが、コンクリート、モルタル等の建築材料であり、これらの建築材料は、硬い凸凹の表面構造を有していて、一般的に埃等によって汚されている。前記解決策のそれぞれは、物体の検査表面に対して相対的に基体を可動に支持する際に、例えば次のような利点および欠点を提供する。
車輪は、検査表面に対して相対的な、基体の一次元でスムーズにガイドされた可動な支持を可能にし、この場合、車輪は一般的に僅かな摩耗にさらされる。車輪の選択（例えば大きさ、材料）に応じて、このような形式の支持装置は、検査表面の凸凹に非常に過敏である。さらに、運動は一次元に限定される。
プラスチック滑走部は、検査表面に対して相対的な、基体の二次元で可動な（つまり一次元でガイドされていない）支持を可能にし、この場合、滑走部は、粗いまたは微細加工された検査表面上で一般的に増大された摩耗にさらされる。
フェルト滑走部は、検査表面に対して相対的な、基体の二次元で可動な（つまり一次元でガイドされていない）支持を可能にし、この場合、滑走部は、粗いまたは微細加工された検査表面上にはまったく適していない（材料が擦り切れる）が、滑らかな検査表面上では滑走部は非常に丁寧に扱われる。
【００２１】
本発明によれば、検波器は、それぞれ物体の検査表面に対して相対的に基体を可動に支持するために設けられた、少なくとも１つの第１の支持装置と少なくとも１つの第２の支持装置とを特徴としている。この場合、第１の支持装置と第２の支持装置とは互いに異なっている。
【００２２】
このような形式で、検波器は、好適には様々な支持装置と組み合わされるか、または様々な支持装置が使用され、この場合、特に個別の支持装置のそれぞれの利点が、検波器の使用者によって適切に選択され得る。
【００２３】
検波器の１実施例では、第１の支持装置および第２の支持装置が、基体に可逆的に取り外し可能に配置可能である。
【００２４】
「可逆的に取り外し可能に配置可能」とは、特に、支持装置が、検波器、特に基体を破壊することなしに、再び検波器、特に基体から分離され、ひいては取り外され得るように、それぞれの支持装置の配置が行われている、ということである。例えば、このような形式の可逆的に取り外し可能な配置は、接続、差し込み、差し嵌め、ドッキング、留め、付着またはその他の形式によって、当業者によく知られている配置または装備で行うことができる。１実施例では、支持装置は、例えば支持装置を基体に可逆的に取り外し可能に配置するために設けられた、成形されたインターフェースおよび／またはカップリング箇所を用いたアタッチメントの形で、配置されてよい。このような形式のインターフェースおよび／またはカップリング箇所は、２つの接合相手、つまり支持装置および基体の、特に互いに適合されたセンタリング、係止突起、係止溝、受け部、ストッパ等を有していてよい。選択的または追加的な実施例では、支持装置は、少なくとも１つの磁石を用いて検波器の基体に配置可能である。選択的または追加的に、支持装置は、基体に対して支持装置を可逆的に保持しかつ取り外すための少なくとも１つの保持装置、フック装置、緊締または係止装置を用いて実現されてよい。
【００２５】
このような形式で、それぞれの支持装置の簡単な交換が実現されるので、検波器は状況に応じてそれぞれ異なる支持装置を備えることができる。好適には、支持装置は、検波器の使用者によって、測定を実施する前に選択され、特に取り外され、交換または配置され得る。このような形式で、本発明による検波器は、予め規定された支持装置を使用した検波器の可動な支持の代わりに、選択可能な支持装置を用いて検波器を使用することもできる補助機能性の提供を可能にする。支持装置の選択は好適には、状況に応じてそれぞれ好適な、基体に可逆的に取り外し可能に配置されるアタッチメントの選択によって行われる。
【００２６】
さらに、検波器の１実施例では、１つよりも多い支持装置を基体に配置することが考えられる。特に、複数の支持装置を相前後して基体に配置することも考えられ、この場合、それぞれ別の支持装置は、既に配置されている支持装置に直列接続で可逆的に取り外し可能に配置される。
【００２７】
検波器の選択的な実施例では、第１の支持装置が基体の構成部分として組み込まれており、この場合、第２の支持装置が基体に可逆的に取り外し可能に配置可能である。
【００２８】
「構成部分として組み込まれている」とは、特に、相応の支持装置が基体に、可逆的に、つまり破壊されることなしに取り外し可能には、接続されていない、ということである。これは例えば、基体と支持装置との一体的な構成を実現することによって、または支持装置を基体に固定的に配置することによって実現され得る。
【００２９】
このような形式で、同様に支持装置の簡単な交換が実現され、この場合、第１の支持装置は予め、基体の構成部分として組み込まれている。これによって、基本的に検波器の、より簡単な構造が実現可能である。
【００３０】
検波器の選択的な実施例では、第１の支持装置と第２の支持装置とが、基体の構成部分として組み込まれている。
【００３１】
例えば、検波器のこのような実施例では、第１の支持装置が基体の構成部分として定置に組み込まれており、これに対して、第２の支持装置は、折り畳み可能、特に折り畳み開放可能および折り畳み閉鎖可能、または走行可能、特に引き出し走行可能および押し込み走行可能に実現されている。選択的に、２つの支持装置が、折り畳み可能、特に折り畳み開放可能および折り畳み閉鎖可能、または走行可能、特に引き出し走行可能および押し込み走行可能に実現されていてもよい。このような形式の折り畳み可能な実現化は、例えばヒンジによって行うことができる。走行可能な実現化は、例えば転がり軸受または滑り軸受を用いた走行装置の形で実現され得る。１実施例では、第２の支持装置が、ハウジング、特に基体内に格納可能、特に押し込み可能または引き込み可能、並びに抜き出し可能、特に引き出し可能または折り畳み開放可能に実現され得る。このような形式で、２つの支持装置が予め基体の構成部分として組み込まれて構成されている、特にコンパクトな検波器が実現され得る。引き出し可能または折り畳み開放可能、並びに押し込み可能または折り畳み閉鎖可能とは、支持装置が機構によって少なくとも２つの位置状態、「折り畳み開放」および「折り畳み閉鎖」若しくは「引き出し」および「押し込み」の間で変えられる、ということである。これらの位置状態の間は、特に明らかに異なっていてよい。
【００３２】
１実施例では、第１および／または第２の支持装置は、検波器の操作員によって手動で、または検波器の制御装置によって自動的に、特に操作員の入力により起動されて、折り畳み若しくは走行が行われる。
【００３３】
検波器の１実施例では、第２の支持装置が、少なくとも１つの運転モードで、基体を物体の検査表面に対して相対的に可動に支持することを可能にし、これに対して、第１の支持装置によって、物体の検査表面に対して相対的な、基体の可動な支持が妨げられている。これは、例えば、第２の支持装置の配置によって、基体と検査表面との間の間隔がやや大きくされ、それによって、第１の支持装置は検査表面にもはや接触しないようになり、従って検査表面に関する基体の支持は役に立たなくなることによって、実現される。
【００３４】
検波器の１実施例によれば、第１の支持装置または第２の支持装置は、検査表面に対して相対的な検波器の二次元的な運動を実現するために、ブラシ縁を有している。
【００３５】
ブラシ縁は支持装置として、検査表面の小さい凸凹により基体およびひいては検波装置の傾きが発生することなしに、基体を検査表面上に一定の間隔を保ってガイドすることを可能にする。ブラシ縁の個別のブラシ剛毛は、検査表面上で検波器をより良好に水平にガイドする。測定精度は、検波装置と検査表面との間の間隔および傾きに著しく依存しており、従って、構造的に簡単な形式で、測定精度の向上および測定誤差の減少が得られる。それと同時に、ブラシ縁は、検波器を頻繁に粗い表面上で使用する場合でも、摩耗にさらされないかまたは非常に僅かな摩耗にさらされるだけである。ブラシ縁、特に個別のブラシ剛毛は、検査表面に関連して検波器の位置を変えることによって発生する摩擦に、個別のブラシ剛毛の変形によって弾性的に反応する。これによって、ブラシ剛毛は摩耗にさらされないかまたは明らかに僅かな摩耗にさらされるだけであり、そのため検波装置と検査表面との間の間隔は、機器の長時間の使用に亘って一定に維持される。
【００３６】
さらに、使用者は、検査表面上で検波器を可動に支持するためのブラシ縁を使用することによって、検波器の使用、特に検査表面上での位置変えが触覚的に特に好ましいと感じる。従って、強い力を使うことなしに検波器をスライド若しくは位置変えすることができ、検波器が止まったり傾いたりすることなしに、検査表面の凸凹を克服することができるかまたは走査することができる。検波器が検査表面上を引っかいたりまたは擦ったりするような、滑走部を使用した一般的な感覚は好適には生じない。検波器をスライドさせることによって一般的に検査表面上で生じ得る雑音発生もより小さく、従って使用者によって快適であると感じられる。一般的に滑走部を使用したときに発生する擦れ雑音は好適には生じない。
【００３７】
検波器の選択的な実施例では、第１の支持装置または第２の支持装置が、検査表面に対して相対的な検波器の二次元的な運動を実現するために、滑走部を有している。
【００３８】
滑走部は、特に簡単かつフレキシブルな、支持装置の支承部を形成する。滑走部は、例えば硬い滑走部として、例えばプラスチック製の突起の形で製作されているか、または滑りおよび摩耗が最適化された滑走部として、例えばテフロンまたはナイロン等のポリマーまたはフェルトより成っている。このような形式の支持装置は、構造的に特に簡単かつ経済的に好適な形式で、使用者が、検査表面に関連して二次元方向で検波器を位置変えすることを可能にする。
【００３９】
検波器の選択的な実施例によれば、第１の支持装置または第２の支持装置が、検査表面に対して相対的な検波器の二次元的な運動を実現するために、少なくとも１つの全方向車輪、特にメカナムホイールまたはボールベアリングを有している。
【００４０】
全方向車輪とは、それ自体が機械的な操縦を行うことなしに、検査表面上に関連して基体を全方向で可動に支持することを可能にする、という意味である。この場合、車輪の摺動面は、回転軸線が主要車輪の回転軸線に対して直角に位置している、例えばローラより成っていてよい。これによって、車輪を摩擦なしに軸方向でスライドさせることができる。これに対して、メカナムホイールは、車輪の外周面に配置されたドラム状のローラが車輪の主軸線に対して角度を成して配置されている。選択的に、全方向車輪は、玉（ボールローラ、ボールベアリング）を使用して実現されてもよい。検波器の１実施例では、第１の支持装置または第２の支持装置が、３つ、特に４つのこのような形式の全方向車輪を有している。
【００４１】
検波器の選択的な実施例では、第１の支持装置または第２の支持装置が、検査表面に対して相対的な検波器の一次元的な運動を実現するために、複数のローラまたは車輪を有している。
【００４２】
車輪またはローラ、特に４つの車輪またはローラは、一次元方向での検波器の可動な支持を特に簡単かつ経済的に好都合に実現することができる。この場合、一次元方向は、検査表面に対して平行に位置する、車輪軸線若しくはローラ軸線に対する垂線によって与えられている。
【００４３】
検波器の１実施例によれば、検波器は、少なくとも１つの車輪またはローラの回転を、信号技術的に特に磁気カップリングおよび／または誘導カップリングによって検出する手段を有している。
【００４４】
このような形式で、この手段は、検査表面に関連して基体の位置データを検出するための位置センサを簡単に実現する。位置センサとは特に、検査表面に対する、基体のその時の特に相対的な位置をアウトプットするかまたは伝送するために設けられたセンサのことである。この場合、現在の位置は、それ以前の位置に対して相対的に、または特に少なくとも１つの固定的な基準点に関連して絶対的に検出され、位置データとしてアウトプットされるかまたは伝送される。この手段は、例えば光学式、機械式または電磁式（特に誘導式）のセンサとして構成されており、このセンサは、運転状態で少なくとも１つの車輪またはローラの運動および／または回転を検出して、電気信号に変換する。特に、このような形式の位置センサを使用して、検査表面に関する検波器の実際の位置に依存して検波データを評価することができる。例えば、検査表面の、位置に依存する測定および評価によって、測定結果を、多次元的な例えば特に二次元的な地図情報の形で表示することができる。
【００４５】
さらに、基体を備えた手持ち式の検波器を運転するための方法が提案されており、この場合、
第１の使用モードで、物体の検査表面に対して相対的に基体を可動に支持するために、第１の支持装置によって基体を支持し、
第２の使用モードで、物体の検査表面に対して相対的に基体を可動に支持するために、第２の支持装置によって基体を支持し、
この場合、第１の支持装置と第２の支持装置とが互いに異なっている。
【００４６】
最後に、本発明の理論は、第１の支持装置および第２の支持装置だけに限定されるものではなく、複数の第２の支持装置にも同様に転用することができることを指摘しておく。従って、検波器の１実施例では、第１の支持装置が検波器の基体に堅固に組み込まれて構成されていてよく、これに対して様々な第２の支持装置、例えば滑走部を有する第２の支持装置、車輪を有する別の第２の支持装置、並びに全方向車輪を有する別の第２の支持装置が必要に応じて基体に配置されてよい。
【図面の簡単な説明】
【００４７】
【図１ａ】基体の構成部分として組み込まれた、ブラシ縁を備えた第１の支持装置を有する、本発明による検波器の１実施例の斜視図である。
【図１ｂ】４つの車輪を有する第２の支持装置の１実施例の斜視図である。
【図１ｃ】４つの滑走部を有する第２の支持装置の１実施例の斜視図である。
【図１ｄ】４つの全方向車輪を有する第２の支持装置の１実施例の斜視図である。
【図１ｅ】図１ｂに示した第２の支持装置が配置された、図１ａに示した本発明による検波器の斜視図である。
【図２ａ】第１の支持装置と第２の支持装置とが基体の構成部分として組み込まれている、本発明による検波器の１実施例の斜視図であり、この場合、第２の支持装置が押し込まれた状態にある。
【図２ｂ】図２ａに示された本発明による検波器の実施例の斜視図であり、この場合、第２の支持装置が引き出された状態にある。
【図３】手持ち式の検波器を運転するための本発明による方法の概略図である。
【発明を実施するための形態】
【００４８】
本発明を、図面に示した実施例を用いて以下に具体的に説明する。図面、明細書および請求項は、多くの特徴の組み合わせを含む。当業者は、これらの特徴を好適な形式で個別に考慮しても、また有意義な別の組み合わせで組み合わせてもよい。図面中の同じ符号は同じ構成要素を表す。
【００４９】
図１は、本発明による手持ち式の検波器１０の１実施例の斜視図の概略的な斜視図を示し、この検波器１０は、ここでは例として手持ち式の位置測定器として実現されている。検波器１０は、選択的な実施例では同様に湿気測定器または湿気検出器として実現されてよい。
【００５０】
図１ａに示されているように、検波器１０はハウジング１２を有しており、このハウジング１２は同時に、検波器１０の基体１４を形成する。ハウジング１２は、検波器１０を運転するために必要なまたは有効な、検波器１０のすべての構成要素を包囲しており、手持ち式の検波器１０、特に基体１４は、検波器１０の使用者によって自由に行われる運動による測定操作中に、使用者によって手で持たれて、検査しようとする物体１８の検査表面１６上にガイドされる。手持ち式の検波器の質量は、１実施例では３ｋｇよりも少ない。
【００５１】
検波器１０は検波装置２０（図１ａ，１ｅ，３ａおよび３ｂの破線で示された部分参照）を有しており、この検波装置２０は、検波データ、ここでは特に、検査表面の下に隠れた位置測定対象物（ここには詳しく図示されていない）の位置測定データを検出するために設けられている。このために、検波器１０の図示の実施例における検波装置２０は、特にＬＣＲアンテナを有している。
【００５２】
検波器１０はさらに、操作エレメントとして構成された入力装置（ここには詳しく図示されていない）を有していて、この入力装置は、検波器１０をオンオフ操作するために、また検波測定を開始させるために適している。（同様にここには詳しく図示されていない）出力装置が、特に検波情報の作業パラメータおよび／または評価結果のアウトプットおよび表示のために用いられる。入力装置の構成要素は、使用者入力を伝送するために、検波器１０の詳しく図示されていない制御装置に接続されている。出力装置は特に、検波情報をディスプレイに表示するために設けられている。出力装置は、測定結果またはその他の情報を伝送するために制御装置に接続されている。
【００５３】
特に電子制御回路を有する、ここには詳しく図示されていない制御装置は、検波器１０並びに検波装置２０を個別に開ループ制御および／または閉ループ制御するために用いられる。このために、制御装置は、ここには詳しく図示されていない、プロセッサユニットとメモリーユニットとこのメモリーユニット内に記憶された運転プログラムとを有するユニットを有している。さらに制御装置は、検波装置２０の検波データ、つまりここでは特に位置測定データを評価するために設けられている。
【００５４】
検波器１０はさらに、運搬および運搬をガイドするためにハンドル２２を有している。ハンドル２２、入力装置並びに出力装置は、検波器１０を操作するときに一般的に使用者の方に向いている、検波器１０のハウジング側２４に位置している。
【００５５】
検波器１０にエネルギ供給するために、検波器１０は切欠２６を有しており、この切欠２６は、少なくとも１つの電力網とは無関係なエネルギアキュムレータ、特にバッテリまたは再充電可能な蓄電池を受けるために設けられている。
【００５６】
検波器１０は、検波測定の実施中に、検査しようとする物体１８、特に物体１８の検査表面１６上に載せられるように（図１ａまたは図１ｅ参照）、設計されている。検波器１０を検査表面１６上に安定的に載せるために、並びに検波器１０を検査表面１６に対して相対的にスムーズに可動に支持するために、検波器１０は、図１に示した実施例では、物体１８の検査表面１６に対して相対的に基体１４を可動に支持するための第１の支持装置２８（図１ａ参照）と、物体１８の検査表面１６に対して相対的に基体１４を可動に支持するための第２の支持装置３０（図１ｂ参照）とを有しており、この場合、第１の支持装置２８と第２の支持装置３０とは互いに異なっている。さらに検波器１０は、それぞれ物体１８の検査表面１６に対して相対的に基体１４を可動に支持するために、別の第２の支持装置３２、図１ｄ参照、および別の第２の支持装置３４、図１ｄ参照、を有している。第２の支持装置３０，３２，３４はそれぞれ互いに異なっている。
【００５７】
図１ａに示された、検波器１０の第１の支持装置２８は、検波器１０の基体１４に設けられたブラシ縁２８ａとして実現されている。この場合、ブラシ縁２８ａは、検波測定を実施する際に物体１８の検査表面１６に面した、基体１４の側に配置されている（特に図１ａ参照）。この場合、ブラシ縁２８ａは、検波測定を実施する際に物体１８の検査表面１６に向けられた、基体１４の側の外側輪郭に、少なくとも部分的に一貫して直に沿って移動可能に配置されたストリップ状ブラシの形で実現されている。この場合、ブラシ縁２８ａの形の第１の支持装置２８は、検査表面１６に対して相対的な検波器１０の二次元的な運動を実現するために役立つ。
【００５８】
図１ｂ，１ｃおよび１ｄに示された検波器１０の第２の支持装置３０，３２，３４はそれぞれ、はめ込み式装置若しくははめ込み枠３８の形で実現されている。従って、これらの第２の支持装置３０，３２，３４は、検波器１０、特に基体１４を破壊することなしに、検波器１０、特に基体１４から再び分離することができ、ひいては取り除くことができる。図示の実施例では、基体１４（図１ａ参照）も、第２の支持装置３０，３２，３４（図１ｂ，１ｃ，１ｄ参照）も、それぞれ１つの特別に成形された結合箇所３６を有しており、これらの結合箇所３６は、それぞれの支持装置３０，３２，３４を基体１４に可逆的に取り外し可能に配置するために設けられている。結合箇所３６は、支持装置３０，３２，３４および基体１４の２つの接合相手の、互いに適合されたセンタリング、係止突起、係止溝、収容部およびストッパを有している（ここでは詳しく図示されていない）。さらに、結合装置３６は、基体１４に支持装置３０，３２，３４を可逆的に保持しかつ取り外すために、詳しく図示していない保持装置、フック装置、緊締装置または係止装置を有している。
【００５９】
図１ｂに示した第２の支持装置３０は、複数の車輪３０ａ、ここでは特に４つの車輪３０ａを有している。車輪３０ａを有する第２の支持装置３０は、一次元的な優先方向（検査表面１６上で車輪軸線に対して直角に延在する）に沿って検査表面１６に対して相対的に検波器１０の一次元的な運動を実現するために用いられる。さらに、これらの車輪３０ａは、検査表面１６に対して相対的な基体１４の特にスムーズな支持を可能にし、この場合、車輪３０ａは、基本的に非常に僅かな摩耗にさらされるだけである。
【００６０】
図１ｃに示した別の第２の支持装置３２は、複数の滑走部３２ａ、ここでは特に４つの滑走部３２ａを有している。支持装置３２の滑走部３２ａは、検査表面１６に対して相対的な検波器１０の二次元的な運動を実現するために用いられ、滑りおよび摩耗が最適化された、例えばテフロンまたはナイロン等のポリマーまたはフェルトより実現されてよい。
【００６１】
図１ｄに示した別の第２の支持装置３４は、複数の全方向車輪３４ａ、ここでは特に４つの全方向車輪３４ａを有している。支持装置３４の全方向車輪３４ａは、検査表面１６に対して相対的に検波器１０の二次元的な運動を実現するために用いられる。この場合、全方向車輪３４ａは、検査表面１６に関連して基体１４を全方向で可動に支持することができる、はめ込み式枠３８内に埋め込まれたボールベアリング（玉）の形状で実現されている。
【００６２】
図１ｅは、基体１４に配置された、複数の車輪３０ａを有する第２の支持装置３０を備えた検波器１０を示す。基体１４に配置された、第２の支持装置３０の状態で、第２の支持装置３０、特に複数の車輪３０ａは、基体１４を支持するためだけに用いられ、これに対して第１の支持装置２８の機能は効力を失っている。これは、図示の実施例では、第２の支持装置３０の配置によって検査表面１６と基体１４との間の間隔が僅かに大きくされ、それによって第１の支持装置２８が検査表面１６にもはや接触しなくなることによって、実現される。これによって、可動な支持は、第２の支持装置３０だけによって実現される。
【００６３】
図示されたすべての支持装置２８，３０，３２，３４は、検波器１０の基体１４およびひいては検波装置２０も、検波操作中に検査表面１６上で一定の間隔を保ってガイド若しくは移動させることができる。検査表面１６の下の範囲内に配置された位置測定対象物（ここでは詳しく図示されていない）、例えば外装、電路、管等、また原理的には物体１８内の湿気も、検波器１０の検波装置２０によって検出され、出力装置を使用して検波器１０の使用者に提供される。
【００６４】
図２ａおよび図２ｂには、検波器１０の選択的な実施例が示されており、この選択的な実施例では、第１の支持装置２８および第２の支持装置３０は、基体１４の構成部分として組み込まれて構成されている。この場合、検波器１０の第１の支持装置２８は基体１４の構成部分として定置に組み込まれていて、ここではブラシ縁２８ａとして実現されている。これに対して、第２の支持装置３０は、詳しく図示されていない機械的な調節装置４０（例えば転がり軸受または滑り軸受を使用して）によって、走行可能、特に引き出し可能および押し込み可能に実現される。この場合、第２の支持装置３０は、図２ａ（押し込み）若しくは図２ｂ（引き出し）に示されているように、２つの位置状態「引き出し」と「押し込み」との間で変えることができる。検波器１０の図示の実施例では、第２の支持装置３０は、検波器１０の操作員によって手動で押し込み可能若しくは引き出し可能である。特に、検波器１０は、第２の支持装置３０の引き出された状態（図３ｂ）では第２の支持装置３０だけによって支持され、これに対して第１の支持装置２８の機能は無効である。図２ａおよび図２ｂに示した第２の支持装置３０は、複数の車輪３０ａ、ここでは特に４つの車輪３０ａを有している。複数の車輪３０ａを有する第２の支持装置３０は（図１ｂの第２の支持装置３０と同様に）、検査表面１６に対して相対的に、一次元の優先方向（検査表面１６上で車輪軸線に対して直角に延在する）に沿った、検波器１０の一次元的な移動を実現するために用いられる。
【００６５】
図１および／または図２に示された検波器はさらに、第２の支持装置３０が配置されている場合に、信号技術的に特に磁気カップリングおよび／または誘導カップリングによって車輪３０ａの回転を検出する手段４２を有している。このような形式で、検査表面１６に対して相対的な基体１４の位置がその運動中に検出され得る。
【００６６】
次いで、図３に、基体１４を有する手持ち式の検波器１０を運転するための本発明による方法が提案されており、この場合、第１の使用モード１００で、物体１８の検査表面１６に対して相対的に基体１４を可動に支持するために、基体１４は第１の支持装置２８によって支持され、第２の使用モード２００で、物体１８の検査表面１６に対して相対的に基体１４を可動に支持するために、基体１４は第２の支持装置３０，３２，３４によって支持され、この場合、第１の支持装置２８と第２の支持装置３０，３２，３４とは互いに異なっている。
【符号の説明】
【００６７】
１０  手持ち式の検波器
１２  ハウジング
１４  基体
１６  検査表面
１８  物体
２０  検波装置
２２  ハンドル
２４  ハウジング側
２６  切欠
２８  第１の支持装置
２８ａ  ブラシ縁
３０  第２の支持装置
３０ａ  車輪
３２ａ  滑走部
３２，３４  別の第２の支持装置
３４ａ  全方向車輪
３８  はめ込み式装置若しくははめ込み枠
３６  結合箇所
４０  調節装置
４２  車輪３０ａの回転を検出する手段
１００  第１の運転モード、第１の使用モード
２００  第２の運転モード、第２の使用モード
【図１ａ】
2018100956.tif 000003
【図１ｂ】
2018100956.tif 000004
【図１ｃ】
2018100956.tif 000005
【図１ｄ】
2018100956.tif 000006
【図１ｅ】
2018100956.tif 000007
【図２ａ】
2018100956.tif 000008
【図２ｂ】
2018100956.tif 000009
【図３】
2018100956.tif 000010
【手続補正書】
【提出日】平成30年3月27日(2018.3.27)
【手続補正２】
【補正対象書類名】明細書
【補正対象項目名】００１７
【補正方法】変更
【補正の内容】
【００１７】
この場合、機械的な接触は、例えばプラスチックより製作された基体の突起としての硬い滑走部によって、または例えば基体上に接着された、テフロン（登録商標）またはナイロン等のポリマーまたはフェルトより成る、滑りおよび摩耗が最適化された滑走部によって実現されてよい。このような形式の支持装置は、特に構造的に簡単な形式で、使用者が検波器を検査表面上に関連して二次元の方向で位置変化させることを可能にする。特に、検波器を二次元で可動に支持することによって、使用者は検波器を自由な運動で、例えば自由なワイパ運動で検査表面上をガイドさせることができる。検波器の自由なワイパ運動により、所定の走行経路（位置変化の経路）とは無関係な、特に任意に形作られた自由な経路が得られる。
【手続補正３】
【補正対象書類名】明細書
【補正対象項目名】００１９
【補正方法】変更
【補正の内容】
【００１９】
互いに異なる支持装置とは、例えば車輪、滑走部、ブラシ縁等の使用のような、様々な機能機構に基づく、または例えばテフロン（登録商標）滑走部、ナイロン滑走部、その他のプラスチック滑走部、フェルト滑走部等の使用のような、様々な材料に基づく、それぞれの支持装置のことである。
【手続補正４】
【補正対象書類名】明細書
【補正対象項目名】００３８
【補正方法】変更
【補正の内容】
【００３８】
滑走部は、特に簡単かつフレキシブルな、支持装置の支承部を形成する。滑走部は、例えば硬い滑走部として、例えばプラスチック製の突起の形で製作されているか、または滑りおよび摩耗が最適化された滑走部として、例えばテフロン（登録商標）またはナイロン等のポリマーまたはフェルトより成っている。このような形式の支持装置は、構造的に特に簡単かつ経済的に好適な形式で、使用者が、検査表面に関連して二次元方向で検波器を位置変えすることを可能にする。
【手続補正５】
【補正対象書類名】明細書
【補正対象項目名】００５６
【補正方法】変更
【補正の内容】
【００５６】
検波器１０は、検波測定の実施中に、検査しようとする物体１８、特に物体１８の検査表面１６上に載せられるように（図１ａまたは図１ｅ参照）、設計されている。検波器１０を検査表面１６上に安定的に載せるために、並びに検波器１０を検査表面１６に対して相対的にスムーズに可動に支持するために、検波器１０は、図１に示した実施例では、物体１８の検査表面１６に対して相対的に基体１４を可動に支持するための第１の支持装置２８（図１ａ参照）と、物体１８の検査表面１６に対して相対的に基体１４を可動に支持するための第２の支持装置３０（図１ｂ参照）とを有しており、この場合、第１の支持装置２８と第２の支持装置３０とは互いに異なっている。さらに検波器１０は、それぞれ物体１８の検査表面１６に対して相対的に基体１４を可動に支持するために、別の第２の支持装置３２、図１ｃ参照、および別の第２の支持装置３４、図１ｄ参照、を有している。第２の支持装置３０，３２，３４はそれぞれ互いに異なっている。
【手続補正６】
【補正対象書類名】明細書
【補正対象項目名】００６０
【補正方法】変更
【補正の内容】
【００６０】
図１ｃに示した別の第２の支持装置３２は、複数の滑走部３２ａ、ここでは特に４つの滑走部３２ａを有している。支持装置３２の滑走部３２ａは、検査表面１６に対して相対的な検波器１０の二次元的な運動を実現するために用いられ、滑りおよび摩耗が最適化された、例えばテフロン（登録商標）またはナイロン等のポリマーまたはフェルトより実現されてよい。
【手続補正７】
【補正対象書類名】明細書
【補正対象項目名】００６４
【補正方法】変更
【補正の内容】
【００６４】
図２ａおよび図２ｂには、検波器１０の選択的な実施例が示されており、この選択的な実施例では、第１の支持装置２８および第２の支持装置３０は、基体１４の構成部分として組み込まれて構成されている。この場合、検波器１０の第１の支持装置２８は基体１４の構成部分として定置に組み込まれていて、ここではブラシ縁２８ａとして実現されている。これに対して、第２の支持装置３０は、詳しく図示されていない機械的な調節装置４０（例えば転がり軸受または滑り軸受を使用して）によって、走行可能、特に引き出し可能および押し込み可能に実現される。この場合、第２の支持装置３０は、図２ａ（押し込み）若しくは図２ｂ（引き出し）に示されているように、２つの位置状態「引き出し」と「押し込み」との間で変えることができる。検波器１０の図示の実施例では、第２の支持装置３０は、検波器１０の操作員によって手動で押し込み可能若しくは引き出し可能である。特に、検波器１０は、第２の支持装置３０の引き出された状態（図２ｂ）では第２の支持装置３０だけによって支持され、これに対して第１の支持装置２８の機能は無効である。図２ａおよび図２ｂに示した第２の支持装置３０は、複数の車輪３０ａ、ここでは特に４つの車輪３０ａを有している。複数の車輪３０ａを有する第２の支持装置３０は（図１ｂの第２の支持装置３０と同様に）、検査表面１６に対して相対的に、一次元の優先方向（検査表面１６上で車輪軸線に対して直角に延在する）に沿った、検波器１０の一次元的な移動を実現するために用いられる。
【手続補正８】
【補正対象書類名】特許請求の範囲
【補正対象項目名】全文
【補正方法】変更
【補正の内容】
【特許請求の範囲】
【請求項１】
手持ち式の検波器（１０）であって、少なくとも１つの検波装置（２０）を有する少なくとも１つの基体（１４）より成っている形式のものにおいて、
検査しようとする物体（１８）の検査表面（１６）に対して相対的に前記基体（１４）を可動に支持するための少なくとも１つの第１の支持装置（２８）と、前記物体（１８）の前記検査表面（１６）に対して相対的に前記基体（１４）を可動に支持するための第２の支持装置（３０，３２，３４）とが設けられており、前記第１の支持装置（２８）と前記第２の支持装置（３０，３２，３４）とが互いに異なっていることを特徴とする、手持ち式の検波器（１０）。
【請求項２】
前記第１の支持装置（２８）および前記第２の支持装置（３０，３２，３４）が、前記基体（１４）に可逆的に取り外し可能に配置可能であることを特徴とする、請求項１記載の手持ち式の検波器（１０）。
【請求項３】
前記第１の支持装置（２８）が前記基体（１４）の構成部分として組み込まれており、前記第２の支持装置（３０，３２，３４）が前記基体（１４）に可逆的に取り外し可能に配置可能であることを特徴とする、請求項１記載の手持ち式の検波器（１０）。
【請求項４】
前記第１の支持装置（２８）と前記第２の支持装置（３０，３２，３４）とが、前記基体（１４）の構成部分として組み込まれていることを特徴とする、請求項１記載の手持ち式の検波器（１０）。
【請求項５】
前記第２の支持装置（３０，３２，３４）が、少なくとも１つの運転モード（２００）で、前記基体（１４）を前記物体（１８）の前記検査表面（１６）に対して相対的に可動に支持することを可能にし、前記第１の支持装置（２８）によって、前記物体（１８）の前記検査表面（１６）に対して相対的な、前記基体（１４）の可動な支持が妨げられていることを特徴とする、請求項１から４までのいずれか１項記載の手持ち式の検波器（１０）。
【請求項６】
前記第１の支持装置（２８）または前記第２の支持装置（３０，３２，３４）が、前記検査表面（１６）に対して相対的な前記検波器（１０）の二次元的な運動を実現するために、ブラシ縁（２８ａ）を有していることを特徴とする、請求項１から５までのいずれか１項記載の手持ち式の検波器（１０）。
【請求項７】
前記第１の支持装置（２８）または前記第２の支持装置（３０，３２，３４）が、前記検査表面（１６）に対して相対的な前記検波器（１０）の二次元的な運動を実現するために、滑走部（３２ａ）を有していることを特徴とする、請求項１から６までのいずれか１項記載の手持ち式の検波器（１０）。
【請求項８】
前記第１の支持装置（２８）または前記第２の支持装置（３０，３２，３４）が、前記検査表面（１６）に対して相対的な前記検波器（１０）の二次元的な運動を実現するために、少なくとも１つの全方向車輪（３４ａ）を有していることを特徴とする、請求項１から７までのいずれか１項記載の手持ち式の検波器（１０）。
【請求項９】
前記第１の支持装置（２８）または前記第２の支持装置（３０，３２，３４）が、前記検査表面（１６）に対して相対的な前記検波器（１０）の一次元的な運動を実現するために、複数の車輪（３０ａ）を有していることを特徴とする、請求項１から８までのいずれか１項記載の手持ち式の検波器（１０）。
【請求項１０】
前記検波器（１０）が、少なくとも１つの車輪（３０ａ）の回転を、信号技術的に検出する手段（４２）を有していることを特徴とする、請求項９記載の手持ち式の検波器（１０）。
【請求項１１】
検査しようとする前記物体（１８）内の対象物を位置測定するための位置測定器として構成されていることを特徴とする、請求項１から１０までのいずれか１項記載の手持ち式の検波器（１０）。
【請求項１２】
検査しようとする前記物体（１８）の内側および／または外側の湿気を決定するための湿気測定器として構成されていることを特徴とする、請求項１から１０までのいずれか１項記載の手持ち式の検波器（１０）。
【請求項１３】
検査表面（１６）に対して相対的に検波器（１０）の基体（１４）を可動に支持するための、請求項１から１２までのいずれか１項記載の手持ち式の検波器（１０）のための支持装置（２８，３０，３２，３４）において、前記支持装置（２８，３０，３２，３４）が前記基体（１４）に可逆的に取り外し可能に配置可能である、手持ち式の検波器（１０）のための支持装置（２８，３０，３２，３４）。
【請求項１４】
請求項１から１２までのいずれか１項記載の、基体（１４）を備えた手持ち式の検波器（１０）を運転するための方法において、
第１の運転モード（１００）で、物体（１８）の検査表面（１６）に対して相対的に前記基体（１４）を可動に支持するために、第１の支持装置（２８）によって前記基体（１４）を支持し、
第２の運転モード（２００）で、前記物体（１８）の前記検査表面（１６）に対して相対的に前記基体（１４）を可動に支持するために、第２の支持装置（３０，３２，３４）によって前記基体（１４）を支持し、
この場合、前記第１の支持装置（２８）と前記第２の支持装置（３０，３２，３４）とが互いに異なっていることを特徴とする、手持ち式の検波器（１０）を運転するための方法。

【外国語明細書】
2018100956000001.pdf